(57)【要約】【課題】遠隔操作により指定された各種メッセージをかご内の表示装置等に表示させることが可能なエレベータの表示制御システムを提供する。【解決手段】表示制御サーバ１は、パソコン８により入力されたメッセージをインターネット６を介して受信すると、パソコン８からの要求に応じ、Ａ棟およびＢ棟に設けられているかご内表示装置２ａ，２ｂと乗場表示装置３ａ，３ｂの中からＡ棟のかご内表示装置２ａを選定する。そして、この表示制御サーバ１は、Ａ棟のかご内表示装置２ａにメッセージを表示させる制御を行う。【選択図】図１
2005225634.tif 000002
【特許請求の範囲】
【請求項１】
ユーザ用端末により入力されたメッセージを通信ネットワークを介して受信すると、上記ユーザ用端末により指定された表示装置に上記メッセージを出力する処理部
を備えていることを特徴とするエレベータの表示制御システム。
【請求項２】
複数のメッセージを予め格納する記憶部と、
上記複数のメッセージの中からユーザ用端末により選択された任意のメッセージを通信ネットワークを介して受信すると、上記ユーザ用端末により指定された表示装置に上記メッセージを出力する処理部とを備えている
ことを特徴とするエレベータの表示制御システム。
【請求項３】
上記処理部は、上記ユーザ用端末からの要求に応じ、複数の建物の中から任意の建物を選択的に選定し、選定した建物に設けられている上記表示装置に上記メッセージを出力することを特徴とする請求項１又は２記載のエレベータの表示制御システム。
【請求項４】
上記処理部は、上記ユーザ用端末からの要求に応じ、複数の表示装置の中から任意の表示装置を選択的に選定することを特徴とする請求項１から３までのいずれかに記載のエレベータの表示制御システム。
【請求項５】
上記処理部は、上記ユーザ用端末により指定された日時に上記メッセージを上記表示装置に表示させる制御を行うことを特徴とする請求項１から４までのいずれかに記載のエレベータの表示制御システム。
【請求項６】
上記表示装置は、乗り場に設けられていることを特徴とする請求項１から５までのいずれかに記載のエレベータの表示制御システム。
【請求項７】
上記表示装置は、かご内に設けられていることを特徴とすることを特徴とする請求項１から６までのいずれかに記載のエレベータの表示制御システム。
【発明の詳細な説明】
【技術分野】
【０００１】
本発明は、かご内の表示装置等にメッセージを表示させる制御を行うエレベータの表示制御システムに関する。
【背景技術】
【０００２】
従来の情報表示装置においては、顧客の端末で入力された店舗メニュー等の表示情報が情報配信センタで管理されたのち、メッセージユニットがその表示情報を情報配信センタからダウンロードしてかご内等に設けられているディスプレイに表示させる制御を行うように構成されている（例えば、特許文献１参照）。
【０００３】
【特許文献１】特開２００１−３１６０５０号公報
【発明の開示】
【発明が解決しようとする課題】
【０００４】
しかし、ディスプレイに表示される表示情報が顧客の端末で入力された店舗メニュー等の商業的な広告メッセージであるので、顧客以外の管理者等が、例えば「おはようございます。」等の各種メッセージを端末で指定することができない。このため、ディスプレイに表示する広告メッセージ以外の各種メッセージについては、端末を用いた遠隔操作による指定ではなく、管理者等が例えば監視室等に出向いて指定しなければならないという問題があった。
【０００５】
そこで、本発明は、上述のような課題を解決するためになされたもので、遠隔操作により指定された各種メッセージをかご内の表示装置等に表示させることが可能なエレベータの表示制御システムを得るものである。
【課題を解決するための手段】
【０００６】
本発明のエレベータの表示制御システムは、ユーザ用端末により入力されたメッセージを通信ネットワークを介して受信すると、ユーザ用端末により指定された表示装置にメッセージを出力する処理部を備えている。
【発明の効果】
【０００７】
本発明のエレベータの表示制御システムは、ユーザ用端末により入力されたメッセージを通信ネットワークを介して受信すると、ユーザ用端末により指定された表示装置にメッセージを出力するので、ユーザ用端末による遠隔操作により指定された各種メッセージを表示装置に表示させることができる。
【発明を実施するための最良の形態】
【０００８】
図１は、本発明の実施の形態に係るエレベータの表示制御システムを示すブロック図である。ここでは、Ａ棟およびＢ棟の施設内に設置されたエレベータの表示制御を行う場合を例にして説明する。
図１において、表示制御サーバ１は、所定のメッセージを表示させる制御を行うようになっている。この表示制御サーバ１には、複数のかご内表示装置２ａ，２ｂおよび乗場表示装置３ａ，３ｂが伝送路４を介して接続されている。伝送路４には、例えばイーサネット（登録商標）が用いられる。
【０００９】
かご内表示装置２ａおよび各乗場表示装置３ａは、Ａ棟に設けられ、かご内表示装置２ｂおよび各乗場表示装置３ｂは、Ｂ棟に設けられている。例えばディスプレイ装置がこれら表示装置２ａ，２ｂ，３ａ，３ｂに用いられている。なお、各かご内表示装置２ａ，２ｂは、エレベータのかご内に設けられ、各乗場表示装置３ａ，３ｂは、所定の乗場に設けられている。
【００１０】
また、表示制御サーバ１は、常時接続回線５を介してインターネット（通信ネットワーク）６に接続されている。そして、このインターネット６には、携帯電話７およびノート型パソコン８がアクセス可能になっている。携帯電話７およびノート型パソコン８は、ブラウザが搭載されているユーザ用端末であり、予め使用権限が許可されているユーザに携帯されて利用される。以下、表示制御サーバ１について詳述する。
【００１１】
図２は、表示制御サーバ１の構成を示すブロック図である。表示制御サーバ１は、例えばＷｅｂサーバであり、通信部１１、記憶部１２、および、処理部１３を有している。通信部１１は、例えば入出力インターフェースである。
記憶部１２は、例えば、メモリ、ハードディスクである。記憶部１２には、エレベータメッセージｄ１、ユーザメッセージｄ２、表示先情報ｄ３、および、予約情報ｄ４が格納される。
【００１２】
エレベータメッセージｄ１およびユーザメッセージｄ２は、エレベータの利用客に対するメッセージであり、例えばＨＴＭＬ(Hyper Text Markup Language）で記述されている。
【００１３】
表示先情報ｄ３には、メッセージｄ１，ｄ２の表示先、即ち、Ａ棟，Ｂ棟のかご内表示装置２ａ，２ｂおよび乗場表示装置３ａ，３ｂを示すデータが含まれている。
予約情報ｄ４には、メッセージｄ１，ｄ２が表示される開始日時とメッセージｄ１，ｄ２が非表示になる終了日時とを示すデータが含まれている。
【００１４】
処理部１３は、例えばＣＰＵである。処理部１３には、応答部１３ａ、選定部１３ｂ、検出部１３ｃ、および、出力部１３ｄが含まれている。これら各部１３ａ〜１３ｄの機能は、次のとおりである。応答部１３ａは、携帯電話７等からの要求に応じた処理を行う。選定部１３ｂは、メッセージｄ１，ｄ２の表示先を選定する。検出部１３ｃは、予約情報ｄ４等のデータをチェックする。出力部１３ｄは、メッセージｄ１，ｄ２をかご内表示装置２ａ等の表示先に出力する。
【００１５】
図３は、記憶部１２上の領域ａ１，ａ２を示す説明図である。記憶部１２上には、２つの領域、即ち、エレベータメッセージ領域格納ａ１およびユーザメッセージ格納領域ａ２が確保されている。そして、これら２つの領域ａ１，ａ２に対応して２種類のメッセージｄ１，ｄ２がそれぞれ格納されることとなる。
【００１６】
図４は、エレベータメッセージ格納領域ａ１に格納されているエレベータメッセージｄ１を示す説明図である。図４によると、登録番号ｄ５ごとに、エレベータメッセージｄ１および予約情報ｄ４が対応付けられている。ここでは、エレベータメッセージｄ１には、エレベータの運転に関する案内、例えば「地震が発生しました。近くの階に止まります。」等の案内を示す情報が設定されている。
【００１７】
図５は、ユーザメッセージ格納領域ａ２に格納されているユーザメッセージｄ２を示す説明図である。図５によると、登録番号ｄ６ごとに、ユーザメッセージｄ２および予約情報ｄ４が対応付けられている。ここでは、ユーザメッセージｄ２には、管理者等がエレベータの利用客に対して伝えたいメッセージ、例えば「おはようございます。」というメッセージが設定されている。
【００１８】
図６は、メッセージｄ１，ｄ２の送信フォーマットｆ１を示す説明図である。図６によると、送信フォーマットｆ１は、ヘッダ部ｄ７とデータ部ｄ８とを有している。
ヘッダ部ｄ７には、ＩＰアドレスｄ９、指示コマンドｄ１０、および、パスワードｄ１１が設定される。ここで、指示コマンドｄ１０は、メッセージｄ１，ｄ２の書き換えを表示制御サーバ１に実行させるためのコマンドである。ユーザ用端末は、指示コマンドｄ１０を用いて、メッセージｄ１，ｄ２の書き換えを表示制御サーバ１に要求することとなる。
パスワードｄ１１は、予め使用権限が許可されているユーザに付与されるデータである。
データ部ｄ８には、登録番号ｄ５，ｄ６、メッセージ種類ｄ１２、メッセージｄ１，ｄ２、開始日時ｄ１３、終了日時ｄ１４が設定される。なお、メッセージ種類ｄ１２というのは、エレベータメッセージｄ１およびユーザメッセージｄ２のいずれかの種類を示すデータである。
【００１９】
図７は、表示制御サーバ１の動作を示すフローチャートである。
例えば管理者が、パソコン８を操作して、インターネット６を介して、表示制御サーバ１に対し、予め付与されているパスワード、ログイン名、および、所定のＵＲＬ(Uniform Resource Locator）を指定する。すると、表示制御サーバ１の応答部１３ａは、メッセージ等を入力するための入力画面データを、インターネット６を介して、ログインを許可した管理者のパソコン８に送信する（Ｓ１０１）。
【００２０】
入力画面データを受信したパソコン８は、例えば図８に示す入力画面を表示する。図８では、表示場所、表示対象機器、メッセージの種類、登録番号、メッセージ、予約開始日時、および、予約終了日時の各項目が入力画面に含まれている。そして、管理者が、パソコン８を操作して、入力画面の各項目を指定する。ここでは、管理者は、表示場所の表示対象機器として、例えばＡ棟のかご内表示装置２ａを指定している。また、管理者は、所定の開始日時ｄ１３および終了日時ｄ１４を指定している。さらに、管理者は、ユーザメッセージｄ２として、例えば「おはようございます。」というメッセージを入力している。なお、管理者は、例えば、「地震が発生しました。近くの階に止まります。」というメッセージをエレベータメッセージｄ１として入力してもよい。
そして、管理者は、パソコン８を操作して、入力画面上で指定されたユーザメッセージｄ２等の情報を送信フォーマットｆ１に設定して表示制御サーバ１に送信する。
なお、送信フォーマットｆ１には、ユーザメッセージｄ２のほか、パソコン８のＩＰアドレスｄ９、指示コマンドｄ１０、開始日時ｄ１３、終了日時ｄ１４等が設定されている。
【００２１】
すると、表示制御サーバ１の選定部１３ｂは、送信フォーマットｆ１に設定されているユーザメッセージｄ２等の情報をインターネット６を介して受信し（Ｓ１０２）、ユーザメッセージｄ２等の情報を記憶部１２に格納する（Ｓ１０３）。
【００２２】
次に、検出部１３ｃは、記憶部１２のユーザメッセージｄ２を表示させる制御を実行するかどうかをチェックする（Ｓ１０４）。具体的には、検出部１３ｃは、送信フォーマットｆ１のヘッダ部ｄ７に指示コマンドｄ１０が設定されているかどうかをチェックする。
【００２３】
そして、検出部１３ｃは、ユーザメッセージｄ２を表示させる制御を実行しない判断をした場合、即ち、指示コマンドｄ１０が送信フォーマットｆ１に未設定の場合、書き換えによりユーザメッセージｄ２の表示が実行できない旨の情報をインターネット６を介してパソコン８に送信する（Ｓ１０５）。
【００２４】
これに対して、ユーザメッセージｄ２を表示させる制御を実行すると判断された場合、即ち、指示コマンドｄ１０が送信フォーマットｆ１に設定されていた場合、検出部１３ｃは、さらに、重複データがあるかどうかをチェックする（Ｓ１０６）。具体的には、検出部１３ｃは、記憶部１２に登録済みの登録番号ｄ５を参照して、ユーザメッセージｄ２等と同じデータがあるかどうかをチェックする。
【００２５】
そして、検出部１３ｃは、重複データがあった場合、その旨の情報をインターネット６を介してパソコン８に送信する（Ｓ１０７）。これにより、管理者に注意を促すこととなる。
他方、重複データがなかった場合、検出部１３ｃは、ユーザメッセージｄ２の表示を実行する旨の情報をインターネット６を介してパソコン８に送信する（Ｓ１０８）。これにより、管理者は、ユーザメッセージｄ２が表示されることを確認することとなる。
【００２６】
次に、選定部１３ｄは、記憶部１２の表示先情報ｄ３を参照して、パソコン８により指定されたＡ棟のかご内表示装置２ａを選定する（Ｓ１０９）。
そして、出力部１３ｅは、パソコン８により指定された開始時間ｄ１３に選定部１３ｄにより選定されたＡ棟のかご内表示装置２ａにユーザメッセージｄ２を表示させる制御を行う（Ｓ１１０）。具体的には、出力部１３ｅは、スケジュール機能により、ユーザメッセージｄ２を伝送路４を介してＡ棟のかご内表示装置２ａに出力する。これにより、「おはようございます。」というユーザメッセージ２ａがＡ棟のかご内表示装置２ａ上に表示されることとなる。なお、その後、終了日時ｄ１４になると、かご内表示装置２ａ上に表示されているユーザメッセージ２ａは、表示制御サーバ１の指示により消去されることとなる。
【００２７】
このように、実施の形態に係るエレベータの表示制御システムによると、表示制御サーバ１の処理部１３は、パソコン８等のユーザ用端末により入力されたメッセージｄ１，ｄ２をインターネット６を介して受信すると、ユーザ用端末により指定された表示装置２ａ，２ｂ，３ａ，３ｂにメッセージｄ１，ｄ２を出力する。このため、ユーザ用端末による遠隔操作により指定された各種メッセージｄ１，ｄ２を表示装置２ａ，２ｂ，３ａ，３ｂに表示させることができる。また、遠隔操作により各種メッセージｄ１，ｄ２を表示させることにより、例えば保守員等が監視室等に出向いて作業を行うことなく、管理者等がその場で所望のメッセージの表示を迅速に要求することができる。
【００２８】
また、処理部１３は、ユーザ用端末からの要求に応じ、Ａ棟およびＢ棟の中から任意の棟を選択的に選定し、選定した棟に設けられている表示装置２ａ，２ｂ，３ａ，３ｂにメッセージｄ１，ｄ２を出力するようになっている。このため、管理者等が指定した棟に設けられているかご内表示装置および乗場表示装置に対して、メッセージｄ１，ｄ２を表示させる要求を行うことが可能となる。
【００２９】
また、処理部１３は、ユーザ用端末からの要求に応じ、複数のかご内表示装置２ａ，２ｂ、および、複数の乗場表示装置３ａ，３ｂの中から任意の表示装置を選択的に選定するようになっている。このため、管理者等が指定した表示装置に対して、メッセージｄ１，ｄ２を表示させる要求を行うことが可能となる。
【００３０】
また、処理部１３は、ユーザ用端末により指定された開始日時ｄ１３にメッセージｄ１，ｄ２を表示装置２ａ，２ｂ，３ａ，３ｂに表示させる制御を行うようになっている。このため、メッセージｄ１，ｄ２の表示日時を予約しておくことが可能となる。
【００３１】
また、かご内表示装置２ａ，２ｂは、かご内に設けられ、乗場表示装置３ａ，３ｂは、乗り場に設けられている。このため、エレベータの乗客、待ち客等にメッセージｄ１，ｄ２を伝えることが可能となる。
【００３２】
さらに、処理部１３は、予めパスワード等の識別情報を付与している管理者等のユーザに対してのみログインを許可するので、第三者の不正な利用を防止することが可能となる。
【００３３】
なお、実施の形態において、処理部１３は、ユーザ用端末により入力されたメッセージｄ１，ｄ２を表示装置２ａ，２ｂ，３ａ，３ｂに出力する場合について説明したが、これに限られない。例えば、処理部１３は、記憶部１２に予め登録されている複数のエレベータメッセージｄ１の中から、ユーザ用端末により選択された任意のエレベータメッセージｄ１をユーザ用端末により指定された表示装置２ａ，２ｂ，３ａ，３ｂに出力するようにしてもよい。これにより、管理者等の操作負担が軽減し、利便性が向上する。
【００３４】
また、ユーザ用端末は、例えばＰＨＳ、ＰＤＡ等であってもよい。
【図面の簡単な説明】
【００３５】
【図１】本発明の実施の形態に係るエレベータの表示制御システムを示す構成図である。
【図２】図１の表示制御装置の構成を示すブロック図である。
【図３】図１の記憶部の領域を示す説明図である。
【図４】図３の記憶部のエレベータメッセージ領域の格納情報を示す説明図である。
【図５】図３の記憶部のユーザメッセージ領域の格納情報を示す説明図である。
【図６】メッセージの送信フォーマットを示す説明図である。
【図７】図１の表示制御サーバの動作を示すフローチャートである。
【図８】メッセージ等の入力画面を示す説明図である。
【符号の説明】
【００３６】
１  表示制御サーバ、２ａ，２ｂ  かご内表示装置、３ａ，３ｂ  乗場表示装置、６  インターネット、７  携帯電話、８  パソコン、１２  記憶部、１３  処理部。
【図１】
2005225634.tif 000003
【図２】
2005225634.tif 000004
【図３】
2005225634.tif 000005
【図４】
2005225634.tif 000006
【図５】
2005225634.tif 000007
【図６】
2005225634.tif 000008
【図７】
2005225634.tif 000009
【図８】
2005225634.tif 000010